(57)【特許請求の範囲】
【請求項１】
容器本体周壁の後部へ、蓋体後部を枢着させて蓋体下面に鏡を付設したコンパクト容器において、
蓋体下面から鏡囲成用の短筒27を垂下させると共に、該短筒外面へ嵌合させた枠体29下端に内向きフランジ28を付設させて、上記短筒内へ嵌合させた鏡30の外周部下面を内向きフランジ28で支持させ、
容器本体周壁前壁部の前面上部を第２凹部７に形成すると共に、枠体前部から第２凹部内へ把手36を垂設しておき、
把手36強制引下げによる、短筒外面からの枠体29取外しで、鏡30を短筒27および枠体29内から取外し可能に形成したことを特徴とする、鏡付きコンパクト容器。
【請求項２】
上記第２凹部下方前壁部分の前面上部に、斜上後方への緩い傾斜面９に形成し、又上記枠体29前部から垂下させた把手36下端を上記傾斜面の下端前面へ当接ないし近接させると共に把手上端後部に弾性屈曲部35を形成させておき、把手36の後方押込みによって把手下端が傾斜面９に沿って上昇することでの把手による蓋体前部押上げにより、蓋体前部が容器本体前部に対して上昇可能に形成したことを特徴とする、請求項１記載の鏡付きコンパクト容器。
【請求項３】
上記傾斜面９を容器本体周壁前壁部６の左右方向中間部に形成すると共に、該傾斜面上方の蓋体周壁23の前壁部を切欠き37し、かつ枠体29前部の左右方向中間部から前方突設した透孔33付きの張出し板34前端から弾性屈曲部35を介して把手36を垂下させ、又上記透孔33に遊挿させて第２フック26を蓋体頂板22の前部から垂下させて該第２フック下端を、該第２フック下方の容器本体部分から起立する第１フック８と係合させ、上記把手36の後方押込みによる蓋体前部の上昇で、上記両フックの係合が離脱可能に形成したことを特徴とする、請求項２記載の鏡付きコンパクト容器。
【発明の詳細な説明】
【０００１】
【発明の属する技術分野】
本発明は鏡付きのコンパクト容器に関する。
【０００２】
【従来の技術】
蓋体裏面へ鏡を付設したコンパクト容器が知られている。
【０００３】
【発明が解決しようとする課題】
複数材で形成された物品は、資源活用のために廃棄時分別することが求められている。コンパクト容器は通常合成樹脂材で形成するが、蓋体裏面には鏡を付設しているから、該鏡を外して別々に廃棄する必要がある。
【０００４】
本発明は蓋体裏面の蓋体の取外しが容易としたものであり、又請求項２の場合は、鏡取外しのために設けた部材一部が開蓋時にも利用できるよう、更に請求項３の場合は、その開蓋時の利用がより便利となるよう設けたものである。
【０００５】
【課題を解決するための手段】
第１の手段として、容器本体周壁の後部へ、蓋体後部を枢着させて蓋体下面に鏡を付設したコンパクト容器において、
蓋体下面から鏡囲成用の短筒27を垂下させると共に、該短筒外面へ嵌合させた枠体29下端に内向きフランジ28を付設させて、上記短筒内へ嵌合させた鏡30の外周部下面を内向きフランジ28で支持させ、
容器本体周壁前壁部の前面上部を第２凹部７に形成すると共に、枠体前部から第２凹部内へ把手36を垂設しておき、
把手36強制引下げによる、短筒外面からの枠体29取外しで、鏡30を短筒27および枠体29内から取外し可能に形成している。
【０００６】
第２の手段として、上記第２凹部下方前壁部分の前面上部に、斜上後方への緩い傾斜面９に形成し、又上記枠体29前部から垂下させた把手36下端を上記傾斜面の下端前面へ当接ないし近接させると共に把手上端後部に弾性屈曲部35を形成させておき、把手36の後方押込みによって把手下端が傾斜面９に沿って上昇することでの把手による蓋体前部押上げにより、蓋体前部が容器本体前部に対して上昇可能に形成している。
【０００７】
第３の手段として、上記第２の手段を有すると共に、上記傾斜面９を容器本体周壁前壁部６の左右方向中間部に形成すると共に、該傾斜面上方の蓋体周壁23の前壁部を切欠き37し、かつ枠体29前部の左右方向中間部から前方突設した透孔33付きの張出し板34前端から弾性屈曲部35を介して把手36を垂下させ、
又上記透孔33に遊挿させて第２フック26を蓋体頂板22の前部から垂下させて該第２フック下端を、該第２フック下方の容器本体部分から起立する第１フック８と係合させ、
上記把手36の後方押込みによる蓋体前部の上昇で、上記両フックの係合が離脱可能に形成した。
【０００８】
【発明の実施の形態】
以下図面について説明すると、１は底壁２外周から周壁３を起立する容器本体で、その後壁部４の左右方向中間後部には蓋体枢着用の第１凹部５を設けており、又その前壁部６の左右方向中間部には前面および上面開放の第２凹部７を設け、かつ第２凹部奥壁部分の上端部前面には係合突条を横設して該奥壁部分を第１フック８としている。又その第２凹部下面の前部には斜上後方への緩い傾斜面９を形成し、該傾斜面下端前方に水平面10、傾斜面の後上端から上方へ垂直面11をそれぞれ形成している。尚それ等傾斜面９および水平面10の左右方向中間部下方には後述の把手押込み用の第３凹部12を設けることが望ましい。
【０００９】
21は蓋体で、頂板22外周から周壁23を垂下し、その後壁部の左右方向中間部を下方へ延長させて、該延長部を軸板24として既述第１凹部５内へ嵌合させ、該軸板と第１凹部左右の後壁部分とをピン25により蓋体21の回動が自在に枢着させている。又頂板22前部の左右方向中間部裏面からは第２フック26を垂下させ、既述第１フック８と係合させており、該第２フック後方の頂板部分裏面からは、鏡嵌合用の短筒27を垂下し、該短筒外面へは下端に内向きフランジ28を有する枠体29を、その内向きフランジで鏡30の外周部下面を支持させて、嵌合させている。該枠体の後端部は蓋体周壁の後壁部４上端内面に設けた横溝内へ嵌合させており、又枠体前部の後面と該後面と接する短筒前壁部分とにそれぞれ突条31,32 を横設してこれ等両突条を係合させて枠体の下方抜出しを防止させている。尚枠体はその全体を蓋体周壁内面又は短筒外面へ係合させてもよい。又図示例にあっては図２が示すように枠体前枠部分前面の左右方向中間部から、透孔33付きの張出し板34を前方突出し、かつ該張出し板前端からは肉薄とした弾性屈曲部35を介して把手36を垂下させ、該把手下端を図１が示すように既述傾斜面下端前方の水平面10上へ載置させている。尚上記透孔33内には第２フック26を挿通させており、又把手36上部は蓋体周壁の前壁部左右方向中間に設けた切欠き37内に位置させている。
【００１０】
上記構成において、図１の状態から把手36下部を後方へ押込みすると、把手下端後縁が傾斜面９に沿って上昇し、すると弾性屈曲部35が屈曲して蓋体前部を把手上端が押上げ、よって第１、第２フック８,26 の係合が外れ、該状態から蓋体前部押上げにより開蓋することが出来、又蓋体前部押下げにより、既述第１、第２フック８，26が係合して図１の状態に閉蓋できる。
【００１１】
廃棄時における鏡30の取外しの際は、上記のように開蓋した状態から、図３が示すように、把手36を下方へ強制的に引下げればよく、すると既述短筒27の前壁部分と枠体前部後面との両突条31,32 の係合が外れて枠体29前部を引下げでき、該状態で、ないし更に枠体前部を引下げして第２フック26を透孔33から外した後、枠体後部を蓋体後壁部の横溝内から外す等して鏡を除去できる。
【００１２】
既述従来例にあっては、第１フック８を容器本体周壁前壁部の第２凹部奥壁部分を利用して形成したが、その第２凹部７の前後方向中間部等から別に起立させてもよく、又それ等第１、第２フック８,26 による蓋体閉蓋状態の保持はそれ等フックに代えて容器本体周壁前壁部の上端と蓋体周壁前部下端とを凹凸の係合手段で直接係合させる等してもよい。又把手36は、図示のように蓋体前部押上げに利用できない構造でも差支えない。
【００１３】
尚鏡およびピン25を除き、各部材はすべて適宜合成樹脂製としている。
【００１４】
【発明の効果】
本発明は既述構成とするものであり、請求項１記載の構成とすることで鏡30の取外しが容易で分別回収に便利である。
【００１５】
請求項２のようにすると、枠体取外し用の把手36を利用して楔状に開蓋力を倍加することが出来る。
【００１６】
請求項３のようにすることで、開蓋を更に容易とすることが出来る。
【図面の簡単な説明】
【図１】  本発明コンパクト容器の断面図である。
【図２】  容器蓋体を下方からみた分解斜視図である。
【図３】  蓋体裏面から鏡を取外す状態を示す拡大断面図である。
【符号の説明】
１…容器本体                  ７…第２凹部
８…第１フック                ９…傾斜面
21…蓋体                      22…頂板
26…第２フック                27…短筒
28…内向きフランジ            29…枠体
30…鏡                        31…突条
32…突条                      33…透孔
34…張出し板                  35…弾性屈曲部
36…把手
【図１】
0004052441.tif 000002
【図２】
0004052441.tif 000003
【図３】
0004052441.tif 000004